(57)【要約】  本発明は、電離放射線に対して保護するためのめがね用フレーム（２０）であって、２つの横方向保護要素（５０）によって横方向に延びている前部分（３０）と、着用されている状態下でユーザの顔上にフレームを維持するためのデバイス（６０）とを備え、横方向保護要素が、前部分と一体的に形成され、前部分および横方向保護要素は、放射線減衰材料から作製されることを特徴とする、めがね用フレーム（２０）に関する。本発明はまた、そのようなフレームを備える、電離放射線に対して保護するためのめがね（１０）、およびこのめがねと、重量を分散させるためのデバイスとを備える組立体に関する。適用範囲：専門的活動を実行する際に電離放射線に曝露されやすい個人の保護。
2021524020.tif 000002
【特許請求の範囲】
【請求項１】
電離放射線に対する保護めがね用のフレーム（２０）であって、２つの側部保護要素（５０）によって横方向に延ばされた前部（３０）と、着用状態においてユーザの顔上に前記フレームを保持するためのデバイス（６０、１１０）とを備え、前記側部保護要素が、前記前部との一体品とし、前記前部および前記側部保護要素は、放射線減衰負荷が内部に分散されたポリマーマトリックスを含む放射線減衰材料から作製されることを特徴とする、保護めがね用のフレーム（２０）。
【請求項２】
前記放射線減衰負荷が、鉛、希土類、ビスマス、アンチモン、すず、タングステン、バリウム、タンタルから選択された少なくとも１つの金属、またはその合金および酸化物から選択された少なくとも１つの化合物の粒子を含む、請求項１に記載のめがね用のフレーム。
【請求項３】
前記放射線減衰負荷が、鉛、酸化鉛、エルビウム、酸化エルビウム、プラセオジム、酸化プラセオジム、酸化エルビウムおよび酸化プラセオジムの混合物、酸化エルビウム、プラセオジム、および酸化ビスマスの混合物、または酸化ビスマス、酸化タングステン、および酸化ランタンの混合物の粒子を含む、請求項２に記載のめがね用のフレーム。
【請求項４】
前記放射線減衰負荷が、ビスマスまたは酸化ビスマスの粒子を含む、請求項１または２に記載のめがね用のフレーム。
【請求項５】
前記マトリックスの前記ポリマーが、セルロースアセテート、セルロースアセトプロピオネート、ポリアミドおよびコポリアミド、エポキシド樹脂、ならびにポリウレタンから選択される、請求項１から４のいずれか一項に記載のめがね用のフレーム。
【請求項６】
前記放射線減衰材料が、２０％から９５％の質量の放射線減衰負荷を含む、請求項１から５のいずれか一項に記載のめがね用のフレーム。
【請求項７】
前記前部（３０）が、１つまたは２つの光学ガラス（４０）を埋め込むように構成される、請求項１から６のいずれか一項に記載のめがね用のフレーム。
【請求項８】
前記前部（３０）および前記側部保護要素（５０）との一体品とする２つの眼窩上保護要素（７０）をさらに備える、請求項１から７のいずれか一項に記載のめがね用のフレーム。
【請求項９】
前記前部（３０）および前記側部保護要素（５０）との一体品とする２つの眼窩下保護要素（８０）をさらに備える、請求項１から８のいずれか一項に記載のめがね用のフレーム。
【請求項１０】
前記フレーム保持デバイスが、前記側部保護要素（５０）にヒンジ留めされた２つのアーム（６０）、または前記側部保護要素（５０）に連結されたヘッドバンド（１１０）を備える、請求項１から９のいずれか一項に記載のめがね用のフレーム。
【請求項１１】
前記前部（３０）との一体品とするか、または前記前部（３０）に取り付けられたサドルブリッジ（９０）をさらに備える、請求項１から１０のいずれか一項に記載のめがね用のフレーム。
【請求項１２】
請求項１から１１のいずれか一項に記載のフレーム（２０）内に埋め込まれた１つまたは２つの放射線減衰光学ガラス（４０）を備える、電離放射線に対する保護めがね（１０）。
【請求項１３】
前記放射線減衰光学ガラス（４０）が、鉛ガラスである、請求項１２に記載のめがね。
【請求項１４】
前記フレーム（２０）が、めがね用の重量吸収デバイス（１４０）が備える第２の取り付け要素（２１０）に取り付けられるように構成された第１の取り付け要素（１６０）を備え、このとき前記めがねおよび前記重量吸収デバイスは、ユーザによって、前記めがねを前記ユーザの顔に着用し、前記重量吸収デバイスを前記ユーザの頭に着用して着用されている、請求項１２または１３に記載のめがね。
【請求項１５】
前記第１の取り付け要素（１６０）が、前記フレーム（２０）に組み付けられるか、または前記フレーム（２０）内に一体化された磁石である、請求項１４に記載のめがね。
【請求項１６】
請求項１２から１５のいずれか一項に記載の放射線保護めがね（１０）と、重量吸収デバイス（１４０）とを備える組立体（１５０）であって、前記めがねが第１の取り付け要素（１６０）を備え、前記重量吸収デバイスが第２の取り付け要素（２１０）を備え、前記第１および第２の取り付け要素は、前記めがねおよび前記重量吸収デバイスが、ユーザによって、前記めがねを前記ユーザの顔に着用し、前記重量吸収デバイスを前記ユーザの頭に着用して着用されるとき、互いに取り付けられるように構成される、組立体（１５０）。
【請求項１７】
前記第１（１６０）および前記第２（２１０）の取り付け要素が、異極性を有する磁石である、請求項１６に記載の組立体。
【請求項１８】
前記重量吸収デバイス（１４０）が、着用状態において、前記ユーザの頭の上部を覆うか、または前記ユーザの頭の前部のみを取り囲むように構成される、請求項１６または１７に記載の組立体。
【発明の詳細な説明】
【技術分野】
【０００１】
本発明は、電離放射線に対する、特にＸ線またはガンマ線タイプの電磁放射線に対する個人保護の分野に関する。
【０００２】
より詳細には、本発明は、電離放射線に対する改良された保護を提供するめがねフレーム、およびそのようなフレームを備える、電離放射線に対する保護めがねに関する。
【０００３】
このめがねは、以下では、より簡単に「放射線保護めがね」と称される。
【０００４】
本発明はまた、放射線保護めがねと、このめがね用の重量吸収デバイスとを備える組立体に関する。
【０００５】
本発明は、人が専門的活動を実施している間、電離放射線に曝露されやすいすべての分野、特に（放射線診断、介入的画像診断、放射線治療、小線源療法（ｂｒａｃｈｙｔｈｅｒａｐｙ）、核医学など）の医学の分野、基礎研究および応用研究の分野、ならびに核産業（鉱業活動、ウラン転換、使用済み核燃料の処理、新しい核燃料の製造など）の分野に適用される。
【背景技術】
【０００６】
電離放射の曝露から生じる危険に対する健康保護の基本的基準を定めた２０１３年１２月５日の理事会指令２０１３／５９／ユーラトムにより、作業者の水晶体に対する等価線量制限が引き下げられた。現在では、専門的活動の実施に関連する計画された曝露状況において、５年の定められた期間にわたって平均で年間２０ミリシーベルト（ｍＳｖ）、単年で５０ｍＳｖを超えない水晶体に対する等価線量制限が求められているが、この制限は、それまでは年間１５０ｍＳｖであった。
【０００７】
この指令に適合するには、作業者の適切な線量測定監視および／または人の目用の放射線保護装置をきっちりと（ｓｙｓｔｅｍａｔｉｃ）着用することが必要となり、この保護装置は、水晶体を効率的に保護するだけでなく、作業者がこの装置を着用する義務を容易に受け入れるように人間工学的基準を満たす必要もある。
【０００８】
個人の目用の放射線保護装置には３つのタイプが存在する：度付きレンズ付きまたは無しのめがね、度付きめがねを着用する人向けであるカバーオールめがね、度付きめがね付き、または無しの両方で着用することができ、特に、血液などの生体液の飛びはねに対する保護も提供することから特に医療分野専門である（「ひさし付きキャップ」とも呼ばれる）ひさし型。
【０００９】
これらの３つのタイプの装置の中でも、めがねは、現在のところ使用が最も簡単であり、作業者が最も容易に、頻繁に、またはさらにきっちりと着用しやすいものである。
【００１０】
現在市販されている放射線保護めがねは、鉛ガラスの存在による前面だけの保護、または前面保護および側部保護を提供するように設計されており、前面保護および側部保護の場合、このめがねは、鉛ガラスに加えて、限定されたサイズ（通常約２ｃｍの高さ、１．５ｃｍの幅）を有する側部保護要素を備え、この側部保護要素は、フレームが含む側部リムに組み付けられるか、またはこれらの側部リムに挿入される。
【００１１】
いずれの場合も、フレームは、電離放射線を透過するプラスチック材料のものである。
【００１２】
前面または側部保護のめがねは、鉛ガラスおよび側部保護要素上に衝突する電離放射線を効率的に減衰させる。
【００１３】
しかし、このめがねは、フレーム上に衝突する電離放射線も、フレームによって覆われるか、もしくはこのフレームを取り囲む皮膚ゾーンとの電離放射線の相互作用からくる電離放射線も減衰させない。しかし、これらの伝播方向に従い、めがねによって減衰されないこれらの電離放射線もまた、水晶体に到達しやすい。
【発明の概要】
【発明が解決しようとする課題】
【００１４】
したがって、本発明者が設定する目的は、電離放射線に対する水晶体の改良された保護を提供する、放射線保護めがねを提供することである。
【００１５】
１つの目的はまた、このめがねがさらに人間工学的であり、特に着用するのに快適であると共に、電離放射線の曝露を受ける作業者がきっちりと使用することを促すために見栄えが良いことである。
【００１６】
別の目的は、このめがねの生産コストにより、電離放射線に対する個人の目の保護が必要とされる専門分野で広く行き渡らせることができることである。
【課題を解決するための手段】
【００１７】
これらの目的は、本発明によって達成され、本発明は、最初に、電離放射線に対する保護めがね用フレームであって、２つの側部保護要素によって横方向に延ばされた前部またはフェースと、着用状態においてユーザの顔上にフレームを保持するためのデバイスとを備え、側部保護要素は、前部との一体品とし、前部および側部保護要素は、放射線減衰負荷が内部に分散されたポリマーマトリックスを含む放射線減衰材料から作製されることを特徴とする、保護めがね用フレームを提供する。
【００１８】
先行文および後続文において：
−  「放射線減衰負荷」とは、好ましくは粒子とする分割された形であり、電離放射線からの光子と相互作用し、これらの光子のエネルギーの一部を吸収することができる任意の材料を意味し、
−  「放射線減衰材料」とは、放射減衰負荷を含むことから、これもまた電離放射線からの光子と相互作用し、これらの光子のエネルギーの一部を吸収することができる材料を意味する。
【００１９】
電離放射線は、特に、従来数十キロボルト（ｋＶ）から数百キロボルトの範囲である電位差が内部にかけられるＸ線発生器によって生成される場合は、Ｘ線型電磁放射線であり、崩壊時に１つまたは複数の放射性原子によって発せられる場合は、ガンマ型電磁放射線であることができる。
【００２０】
さらに、「ポリマー」とは、単一種のモノマーを重合することからのポリマーであるホモポリマー、およびいくつかの種のモノマーを共重合させることからのポリマーであるコポリマーを意味する。
【００２１】
本発明によれば、放射線減衰負荷は、好ましくは、鉛、希土類、ビスマス、アンチモン、すず、タングステン、バリウム、タンタルから選択された少なくとも１つの金属、またはこれらの金属の合金および酸化物から選択された少なくとも１つの化合物の粒子を含む。
【００２２】
希土類は、スカンジウム（Ｓｃ）、イットリウム（Ｙ）、およびすべてのランタニドを含む金属の群であり、ランタニドは、メンデレーエフの元素周期表内にリストされた、原子番号５７のランタン（Ｌａ）から原子番号７１のルテチウム（Ｌｕ）までの１５個の化学元素に対応することに留意されたい。
【００２３】
したがって、減衰負荷は、特に：
−  鉛または酸化鉛、特に化学式ＰｂＯの一酸化鉛；
−  エルビウムまたは酸化エルビウム、特に化学式Ｅｒ２Ｏ３の三二酸化エルビウム（ＩＩＩ）；
−  プラセオジムまたは酸化プラセオジム、特に化学式Ｐｒ６Ｏ１１の酸化プラセオジム（ＩＩＩ−ＩＶ）；
−  ビスマスまたは化学式Ｂｉ２Ｏ３の三二酸化ビスマスなどの酸化ビスマス；
−  Ｅｒ２Ｏ３およびＰｒ６Ｏ１１の混合物などの酸化エルビウムおよび酸化プラセオジムの混合物、たとえば混合物の質量に関して、５５％から６５％のＥｒ２Ｏ３および３５％から４５％のＰｒ６Ｏ１１の質量割合のもの；
−  Ｅｒ２Ｏ３、Ｐｒ６Ｏ１１、およびＢｉ２Ｏ３の混合物などの酸化エルビウム、酸化プラセオジム、および酸化ビスマスの混合物、たとえば混合物の質量に関して、３０％から４５％のＥｒ２Ｏ３、２０％から３０％のＰｒ６Ｏ１１、および３０％から４５％のＢｉ２Ｏ３の質量割合のもの、またはさらには
−  Ｂｉ２Ｏ３、化学式ＷＯ３の三酸化タングステン、および化学式Ｌａ２Ｏ３の三酸化ランタンの混合物などの酸化ビスマス、酸化タングステン、および酸化ランタンの混合物、たとえば混合物の質量に関して、７０％から９０％の質量のＢｉ２Ｏ３、５％から１５％の質量のＷＯ３、および５％から１５％のＬａ２Ｏ３の質量割合のもの
の粒子を含むことができるか、またはそれからなることができる。
【００２４】
放射線減衰負荷は、優先的には、放射線保護めがね、したがってそのフレームによって減衰されるべき電離放射線の光子エネルギーに応じて選択される。
【００２５】
したがって、ウランおよびプルトニウムの酸化物の粉末を使用するＭＯＸ（混合酸化物）タイプの核燃料を製造する施設では、主な放射線は、プルトニウムの放射性同位体、特にアメリシウムおよびウラン２３７からのＸ放射線であり、６０ｋｅＶおよび２０８ｋｅＶの光子エネルギーそれぞれを有する電離放射線に対応しているため、ビスマスまたは酸化ビスマスベースの放射線減衰負荷が、たとえば選択される。
【００２６】
マトリックスのポリマーは、フレームに付与されることが望まれる品質に応じて、特に柔軟性、可撓性、重量、固体性（衝撃抵抗、化学的抵抗など）および見栄え（色、質感など）、ならびにこのフレームの生産コストに関して選択される。
【００２７】
したがって、これは、特に、ＭＡＺＺＵＣＨＥＬＬＩ  ａｎｄ  ＰＬＡＳＴＩＭＯＤが販売しているものなどのセルロースアセテート、Ｔｅｎｉｔｅ（商標）の名称でＥＡＳＴＭＡＮ  Ｃｈｅｍｉｃａｌ  Ｃｏｍｐａｎｙが販売しているものなどのセルロースアセトプロピオネート、Ｇｒｉｌａｍｉｄ（商標）の名称でＥＭＳ−Ｇｒｉｖｏｒｙが販売しているものなどのポリアミドもしくはコポリアミド、Ｒｉｅｌｓａｎ（商標）の名称でＡＲＫＥＭＡが販売しているもの、Ｏｐｔｙｌ（商標）などのエポキシド樹脂、またはＤｅｓｍｏｐａｎ（商標）の名称でＣＯＶＥＳＴＲＯが販売しているものなどのポリウレタンであることができる。
【００２８】
これらのうち、優先度が与えられるのは、
−  一方では、極めて軽量であり（包み込む形のフレームを作製するために極めて好ましい品質である）、（形状記憶ポリマーであるため）弾性があり、抵抗特性、特に衝撃抵抗特性が優れていることにより、ポリアミドおよびコポリアミド、特にＥＭＳ−ＥｖｏｒｙからのＧｒｉｌａｍｉｄ（商標）ＴＲ９０であり、
−  他方ではポリウレタンである。
【００２９】
本発明によれば、放射線減衰材料中の放射減衰負荷の質量割合および／またはこの材料の厚さは、優先的には、この材料が少なくとも０．４ｍｍに等しい鉛当量をするように、すなわち、これが０．４ｍｍ厚さの鉛板によって付与されるものと等価の電離放射線に対する保護を確実にするように選択される。
【００３０】
使用される放射線減衰負荷の組成、放射線減衰材料の厚さ、および必要とされる電離放射線の減衰レベルに応じて変化し、したがって場合に応じて適合されるものであり、当業者が適合させることができるこの質量割合は通常、放射線減衰材料の質量に関して２０％から９５％の間である。
【００３１】
本発明のフレームの形状は、放射線保護めがねに意図される用途、特にこの用途の範囲内で必要とされる保護面だけでなく、このめがねが満たすことが望まれる人間工学および見栄えの基準によっても非常に異なり得る。
【００３２】
第１に、これは、着用状態においてユーザの両方の眼窩領域の一方をそれぞれが覆うためのものである２つの光学ガラスが埋め込まれるように構成された前部を有するフレームであることができる。
【００３３】
あるいは、これは、いわゆる「モノシールド」フレームであることができ、すなわち、その前部は、着用状態においてユーザの両方の眼窩領域を覆うためのものである光学ガラスが１つだけ埋め込まれるように構成される。
【００３４】
いずれの場合も、フレームは、必要とされる保護面に従って多かれ少なかれ覆う形状、またはさらには包み込む形の形状を有することができる。
【００３５】
したがって、これは、平面であるか、または０°から１０°の間の曲がり角を伴う低い湾曲度を有する前部を有するフレームであることができる。
【００３６】
あるいは、これは、１０°より大きく最大３０°の曲がり角を伴う、顔の形状により密接に適合する強い湾曲度を有する前部を有するフレームであることができる。
【００３７】
さらに、これは、このフレームの前部および側部保護要素のみが放射線保護を確実にするのに関与するフレームであることができる。
【００３８】
あるいは、これは、２つの眼窩上保護要素および／または２つの眼窩下保護要素を追加的に備えるフレームであることができ、これらの眼窩上および／または眼窩下保護要素は、前部および側部保護要素との一体品とする。
【００３９】
着用状態においてフレームをユーザの顔上に保持するためのデバイスは、側部保護要素にヒンジ留めされた２つのアームを備えることができ、この場合、これらのアームは、フレームのその他の部分のように放射減衰材料であることができ、または放射線減衰負荷無しのポリマーからなることもでき、このポリマーは、放射線減衰材料のマトリックスを形成するものと同じであっても異なっていてもよい。
【００４０】
人間工学的および見栄えの理由で、アームは、「２素材」であることもでき、すなわち、第１の材料から部分的に、そして第１の材料の特性とは、たとえば可撓性、重量、固体性、または外観について異なる特性を有する第２の材料から部分的になる。
【００４１】
さらに、アームは、直線状であるが、その端部はユーザに対する快適感および安定性を確実にするために湾曲しており、またはユーザの頭部にぴったり適合するように曲げることもできる。すべての場合において、これらの長さは調整可能であることができる。
【００４２】
あるいは、着用状態においてフレームをユーザの顔上に保持するためのデバイスは、側部保護要素に取り外し可能にまたは取り外し不能に連結されたヘッドバンドを備えることができ、この場合、このヘッドバンドは、有利には、弾性材料、たとえば弾性繊維またはネオプレンなどのエラストマーのものであり、ユーザの頭部の周囲に合わせて調整可能である。
【００４３】
本発明によれば、フレームの前部は、好ましくは、３．５ｃｍから５．５ｃｍの間の高さと、１３ｃｍから１７ｃｍの間の幅とを有する。
【００４４】
側部保護要素に関して、これらは、好ましくは、少なくとも２ｃｍに等しく、より良好には２．５ｃｍから３．５ｃｍの間の長さと、その長さのいずれの地点においても、前部と側部保護要素との間の接合ゾーンにおけるフレームのこの前部の高さの少なくとも８０％に等しい高さとを有する。
【００４５】
めがねフレームの分野では通常であるように、フレームは、有利には、好ましくはサドルブリッジである支承要素を、着用状態においてユーザの鼻上に追加的に備える。このサドルブリッジは、フレームの前部との一体品とすることができ、この場合、これは、フレームのこの前部および側部保護要素を形成するものと同じ放射線減衰材料から作製され、またはサドルブリッジは、フレームの前部に組み付けることができ、この場合、これは、優先的には、より良い快適性のためにシリコーンなどの可撓性エラストマー材料のものであり、ここでこの柔軟なエラストマー材料は、好ましくはフレームの前面および側部保護要素内に存在するものと同一である放射線減衰負荷を含むことができる。
【００４６】
本発明の１つの目的はまた、電離放射線に対する保護めがねであって、フレーム内に埋め込まれた１つまたは２つの放射線減衰光学ガラスを備え、フレームはこれまで定義された通りであることを特徴とする、保護めがねである。
【００４７】
本発明によれば、放射減衰光学ガラスは、いかなる光学補正も確実にしないガラスであることができ、またはその反対に、近視、遠視、乱視単独もしくは近視もしくは遠視に関連付けられた乱視、または老眼単独、もしくは近視、遠視、および／または乱視に関連付けられた老眼などの視覚欠損を補正するガラスであることができ、この場合、これらは、単焦点、遠近両用、または多重焦点のものであることができる。
【００４８】
好ましくは、この／これらのガラスは、鉛ガラス、特に鉛を装填したミネラルガラスであり、通常は酸化物である。これらは、０．５０ｍｍまたはさらには０．７５ｍｍの鉛当量を有することができる。そのようなガラスは、特に、ＳＣＨＯＴＴ社およびＨＯＹＡ社から入手可能である。
【００４９】
本発明の放射線保護めがねフレームの前部および側部リム内、またはこのめがねがアームを含む場合はアーム内にも放射線減衰負荷が存在することにより、フレームが放射線減衰負荷を有さなかった場合にこの重量がなるものに比べてこのめがねの重量は増大する。
【００５０】
この理由のため、重量のこの増大によって人間工学性を失わないように、本発明により、めがねの重量吸収デバイスが備える第２の取り付け要素に取り付けられるように構成された第１の取り付け要素を備えためがねフレームを任意選択により提供するようにされ、このとき、めがねおよび重量吸収デバイスは、ユーザによって、めがねをユーザの顔に着用し、重量吸収デバイスをユーザの頭に着用して着用されている。
【００５１】
本発明によれば、第１の取り付け要素は、有利には、フレームに組み付けられるか、またはこのフレーム内に一体化された磁石である。
【００５２】
本発明の別の目的は、これまで定義したような放射線保護めがねと、重量吸収デバイスとを備える組立体であって、めがねが第１の取り付け要素を備え、重量吸収デバイスが第２の取り付け要素を備え、第１および第２の取り付け要素は、めがねおよび重量吸収デバイスが、ユーザによって、めがねをユーザの顔に着用し、重量吸収デバイスをユーザの頭に着用して着用されるとき、互いに取り付けられるように構成される、組立体である。
【００５３】
本発明によれば、重量吸収デバイスは、ヘッドギアタイプのものであることができ、すなわち、着用状態においてユーザの頭の上部を覆うように構成され、この場合、これは、キャップ、ニットキャップもしくは同様のものであることができ、またはヘッドバンドタイプのものであることができ、すなわち頭の前部のみを取り囲むように構成される。
【００５４】
好ましくは、第１および第２の取り付け要素は、異極性を有する磁石である。
【００５５】
本発明は、数多くの利点を有する。
【００５６】
実際、図６Ａ、図６Ｂ、図７、図８Ａおよび図８Ｂに示すように、本発明の放射線保護めがねは、そのフレームによって、従来技術の放射線保護めがねによって提供されるものに比べて劇的に増大した、電離放射線に対する保護面を提供し、その上、水晶体の正中および傍正中の垂直面内ならびに水晶体の正中および傍正中の水平面内のより良好な角度的保護を提供する。
【００５７】
通常０．７５ｍｍのものである従来技術の放射線保護めがねの現在のガラスの鉛当量は、水晶体上に直接および間接の電離放射線によって堆積されるエネルギーから生じる所与の線量測定レベルに適合するように選択されていた。本発明の放射線保護めがねは、減衰される直接放射線の数を増大させ、間接放射線の効果を低下させる保護表面積の増大をもたらすため、等価線量測定レベルに関して、ガラスに必要な鉛等価量の低減、したがって、これらのガラスの重量、したがってめがね全体の重量の減少を企図することが可能である。
【００５８】
さらに、本発明の放射線保護めがねは、従来技術の放射線保護めがねによって提供されるものに比べて改良された保護を提供し、このとき電離放射線への曝露を受ける作業者がきっちりと使用することを促すのに適した人間工学性および見栄えを犠牲にすることはない。
【００５９】
この利点により、本発明のめがねは、原子力産業、特にＭＯＸタイプの核燃料の粉体を取り扱うのに使用されるように特に適合される。
【００６０】
しかし、電離放射線に対する保護が必要とされる他のすべての専門分野、特に放射線診断、介入的画像診断、放射線治療、小線源療法、核医学などの医療分野において使用することも可能である。
【００６１】
本発明のさらなる特徴および利点は、後続の追加の説明から明らかになるであろう。
【００６２】
この追加の説明は、本発明の目的を例示することによって与えられるにすぎず、本目的を限定するものとして解釈されてはならない。
【図面の簡単な説明】
【００６３】
【図１Ａ】前面および側部の保護を有する、従来技術の放射線保護めがねの１つの例を示す図である。
【図１Ｂ】前面および側部の保護を有する、従来技術の放射線保護めがねの別の例を示す図である。
【図２Ａ】図１Ａに示すような放射線保護めがねを着用している人の頭部を概略的かつ部分的に示す左側面図である。
【図２Ｂ】図１Ａに示すような放射線保護めがねを着用している人の頭部を概略的かつ部分的に示す別の左側面図である。
【図３】図１Ａに示すような放射線保護めがねを着用している人の頭部を概略的かつ部分的に示す正面図である。
【図４Ａ】図１Ａに示すような放射線保護めがねを着用している人の頭部を概略的かつ部分的に表す上面図である。
【図４Ｂ】図１Ａに示すような放射線保護めがねを着用している人の頭部を概略的かつ部分的に表す別の上面図である。
【図５Ａ】本発明の放射線保護めがねの１つの例を示す図である。
【図５Ｂ】本発明の放射線保護めがねの別の例を示す図である。
【図５Ｃ】本発明の放射線保護めがねの別の例を示す図である。
【図５Ｄ】本発明の放射線保護めがねの別の例を示す図である。
【図６Ａ】図２Ａのものに類似するが、図５Ａに示すような放射線保護めがねを着用している人を表す図である。
【図６Ｂ】図２Ｂのものに類似するが、図５Ａに示すような放射線保護めがねを着用している人を表す図である。
【図７】図３のものに類似するが、図５Ａに示すような放射線保護めがねを着用している人を表す図である。
【図８Ａ】図４Ａのものに類似するが、図５Ａに示すような放射線保護めがねを着用している人を表す図である。
【図８Ｂ】図４Ｂのものに類似するが、図５Ａに示すような放射線保護めがねを着用している人を表す図である。
【図９Ａ】本発明の放射線保護めがね／重量吸収デバイス組立体の一例を着用している人の頭部を概略的に表す正面図である。
【図９Ｂ】この人の頭部を概略的かつ部分的に示す左側面図である。
【発明を実施するための形態】
【００６４】
最初に図１Ａおよび図１Ｂを参照し、これらの図は、前面および側部保護を有する従来技術の放射線保護めがねの２つの例を示す。
【００６５】
１で参照されるこのめがねは、フレーム２を備え、フレームはそれ自体、２つの光学ガラス４が内部に埋め込まれた前部３またはフェースであって、フェースとの一体品とする２つのリム５まで横方向に延びる、前部またはフェースと、側部リム５の両端にヒンジ留めされた２つのアーム６とを備える。
【００６６】
フレーム２は、電離放射線を透過するプラスチック材料のものであり、前面保護は、鉛ガラスであるガラス４によってのみ確実にされる。
【００６７】
図１Ａに示す例では、側部保護は、２つの小さく、実質的に矩形の鉛板７によって確実にされ、この鉛板は、鉛ガラス４の外縁から距離を離して、側部リム５の一部に付けられる。
【００６８】
図１Ｂに示す例では、側部保護は、２つの実質的に三角形の鉛ガラス部片７によって確実にされ、この鉛ガラス部片は、これもまた鉛ガラス４の外縁から距離を離して側部リム５の一部に一体化される。
【００６９】
いずれの場合も、側部保護要素は、通常、０．３５ｍｍの鉛当量を有する。
【００７０】
次に、図２Ａおよび図２Ｂを参照し、これらの図は、図１Ａに示すような放射線保護めがねを着用している人の頭部８を左側面図で、ならびにこの人の水晶体９を概略的かつ部分的に表す。
【００７１】
このめがねによって確実にされる前面保護の限界を示す図２Ａおよび図２Ｂでは、左鉛ガラス４が横断面図で表されている。しかし、フレームのフェース３は、電離放射線を透過する材料で作製されるため表されておらず、左の小板７もまた、わかりやすくするために表されていない。
【００７２】
図２Ａに見ることができるように、前面保護は、１つの例が矢印ｆ１によって具現化される、鉛ガラス上に衝突する「直接」放射線に限定される。
【００７３】
したがって、水晶体は：
−  矢印ｆ２によって２つの例が具現化される、フレームのフェースの上部および下部上に衝突する「直接的」放射線からも、
−  矢印ｆ３によって１つの例が具現化される、めがねを取り囲む皮膚ゾーンと「直接」放射線との相互作用から生じる「散乱した」放射線からも保護されない。
【００７４】
その結果、水晶体９の正中垂直面内の非放射線保護の角度セクターは、図２ＢではＳ１として示す部分に対応する。
【００７５】
次に、図３を参照し、この図は、図２Ａおよび図２Ｂに示す頭部８を概略的かつ部分的に正面図で表す。
【００７６】
図１Ａに示すような放射線保護めがねによって確実にされる前面および側部保護の限界を示すための図３では、このめがねの鉛ガラス４および小板７を見ることができる。しかし、フレームは、上記の同様の理由で表されない。
【００７７】
ここでも、図３は、このめがねが、矢印ｆ１によって一例が具現化される、鉛ガラス上に衝突する「直接」放射線から水晶体を保護するが、これが：
−  ３つの例が矢印ｆ２によって具現化される、フレームのフェース上に衝突する「直接」放射線からも、
−  一例が矢印ｆ３によって具現化される、めがねを取り囲む皮膚ゾーンと「直接」放射線との相互作用から生じる「散乱した」放射線からも保護しないことを示す。
【００７８】
この図はまた、このめがねが水晶体を、
−  矢印ｆ４によって一例が具現化される、フレームのフェースの側端と鉛小板との間に配置される側部リムの一部上に衝突する「直接」放射線からも、
−  矢印ｆ５によってその一例が具現化される、フレームによって覆われているにもかかわらずこれによって保護されない、鼻根および鼻背の上部などの皮膚ゾーンと直接放射線の相互作用から生じる「散乱した」放射線からも保護しないことも示している。
【００７９】
図１Ａに示すような放射線保護めがねによって提供される前面および側部保護の限界の別の図が、図４Ａおよび図４Ｂに与えられており、これらの図は、図２Ａ、図２Ｂ、および図３に示す頭部８を概略的かつ部分的に上面図で表している。
【００８０】
図４Ａは、図３の矢印ｆ１からｆ５によって具現化された異なる放射線タイプを繰り返し、一方で図４Ｂは、このめがねではＳ２、Ｓ３、Ｓ４およびＳ５としてそれぞれ示す、水晶体９の正中水平面内の角度的な非放射線保護セクターを示す。
【００８１】
次に、図５Ａおよび図５Ｂを参照し、これらの図は、本発明の放射線保護めがねの２つの最初の例を示す。
【００８２】
１０で参照されるこのめがねは、フレーム２０を備え、フレームはそれ自体、２つの光学ガラス４０が内部に埋め込まれた前部３０、またはフェースであって、フェースとの一体品とする２つのリム５０まで横方向に延びる、前部またはフェースと、側部リム５０の両端に２つのヒンジ（表さず）によってヒンジ留めされた２つのアーム６０とを備える。
【００８３】
図１Ａおよび図１Ｂに示すめがねのように、ガラス４０は、鉛ガラスである。
【００８４】
しかし、図１Ａおよび図１Ｂに示すめがねとは異なり、フレームのフェース３０ならびに側部リム５０は、放射線減衰材料から作製されており、放射線減衰材料は、たとえばセルロースアセタプロピオネート、ポリアミド、もしくはコポリアミド、エポキシド樹脂もしくはポリウレタンのポリマーマトリックスを含み、この中に放射線減衰負荷が分散され、この放射線減衰負荷は、たとえば、鉛、酸化鉛、エルビウム、酸化エルビウム、プラセオジム、酸化プラセオジム、酸化エルビウムおよび酸化プラセオジムの混合物、酸化エルビウム、プラセオジム、および酸化ビスマスの混合物、または酸化ビスマス、酸化タングステンおよび酸化ランタンの混合物の粒子を含むか、またはそのような粒子からなる。
【００８５】
図５Ａに示す例では、フレーム２０は、光学フレームの分野では「矩形」タイプと従来呼ばれているものであり、すなわち実質的に矩形のフェース３０を備え、曲がり角が低く（１０°より低い）、フェース３０に実質的に垂直に延びる側部リム５０を有する。これらの側部リムの高さは、フェース３０上の前記側部リムの接合部における前記フェースのものと実質的に等価である。
【００８６】
図５Ｂに示す例では、フレーム２０は、図５Ａに示すめがねのものより包み込む形のフレームであり、曲がり角がより強いフェース３０を備え、２つの眼窩上保護要素７０および２つの眼窩下保護要素８０が存在し、これらは、フェース３０および側部リム５０との一体品とする。
【００８７】
図５Ｂに示す例と同様に図５Ａに示す例では、フレーム２０は、サドルブリッジ９０をさらに備え、サドルブリッジは、両方の光学ガラス４０を接合するノーズブリッジ１００の基部に組み付けることができ、この場合、これは、有利には、場合によっては放射線減衰負荷を含むシリコーンなどの可撓性のエラストマー材料から作製されるか、またはノーズブリッジ１００に一体化することができ、すなわちこのノーズブリッジとの一体品とする。
【００８８】
図５Ｃは、本発明の放射線保護めがね１０の第３の例を示す。このめがねは、フレーム２０が「モノシールド」である点、すなわち単一の光学ガラス４０が埋め込まれたフェース３０を備え、このガラスは前記フェースの側縁から他方の側縁まで延び、こうして着用状態においてユーザの両方の眼窩領域を覆うという点においてのみ、図５Ｂに示すものとは異なる。
【００８９】
図５Ｄは、本発明の放射線保護めがね１０の第４の例を示し、これは、フレーム２０がアームの代わりに保持ヘッドバンド１１０を備えるという点においてのみ、図５Ｂに示すものとは異なる。
【００９０】
優先的には弾性材料、たとえば弾性繊維またはネオプレンなどのエラストマーのものであるこの保持ヘッドバンドは、たとえば２つのループ１２０を介してフレーム２０の側部リム５０の両端部に連結されており、この２つのループは、これらの側部リムとの一体品とし、このループのところで、ヘッドバンドの端部は、スナップファスナー、リベット、再位置決め可能な接着剤、フックおよびループストリップ（またはベルクロ（登録商標））タイプ、または同様のものの締結要素（表さず）によって閉ループを形成する。保持ヘッドバンドには、さらに、これを開閉するためおよび／またはユーザの頭部の周囲に合わせてそのサイズを調整するための要素１３０が設けられる。
【００９１】
次に、図６Ａおよび図６Ｂを参照し、これらの図は、図２Ａおよび図２Ｂのものと同様であるが、図５Ａに示すような放射線保護めがねを着用している人のものである。この理由のため、これらの図では、フレーム２０のフェース３０は、横断面図で表される。
【００９２】
図６Ａに示すように、本発明のめがねは、矢印ｆ１によって一例が具現化される、鉛ガラス上に衝突する「直接」放射線からだけでなく、矢印ｆ２によって２つの例が具現化される、フレームのフェースの上部および下部上に衝突する「直接」放射線からも水晶体９を保護することができる。
【００９３】
この理由のため、図６Ｂに見ることができるように、本発明のめがねによって得られる、Ｓ１として示す水晶体９の正中垂直面内の非放射線保護の角度セクターは、図２Ｂに示すものと比べて大幅に低減されている。
【００９４】
図７もまた、図３のものに似た図であるが、図５Ａに示すような放射線保護めがねを着用している人の図である。
【００９５】
この図は、このめがねが水晶体を：
−  矢印ｆ１によって一例が具現化される、鉛ガラス上に衝突する「直接」放射線から、
−  矢印ｆ２によって３つの例が具現化される、フレームのフェース上に衝突する「直接」放射線から、さらに
−  矢印ｆ４によって一例が具現化される、側部リム上に衝突する「直接」放射線からも保護する。
【００９６】
したがって、矢印ｆ５によって図３に具現化されるもののようなフレームによって覆われた皮膚ゾーンと直接放射線の相互作用から生じる「散乱した」放射線もまた、抑制される。
【００９７】
これはまた、図８Ａにも示され、この図は、図４Ａのものに似た図であるが、図５Ａに示すような放射線保護めがねを着用している人のものであり、ここでは図７の矢印ｆ１からｆ５によって具現化された異なる放射線タイプが繰り返される。
【００９８】
この理由のため、図４Ｂのものに似た図であるために図４Ｂと比較されるが、図５Ａに示すような放射線保護めがねを着用する人のものである図８Ｂで見ることができるように、本発明の放射線保護めがねにより、水晶体９の正中水平面内の非放射線保護の角度セクター、すなわちセクターＳ１は１つしかなく、このセクターは、図４Ｂで見ることができる角度セクターＳ１と比べて大幅に低減されている。
【００９９】
例として、図５Ａに示すような放射線保護めがねは、ＳＣＨＯＴＴ  ＳＦ６鉛ガラス、フレーム、および５ｍｍ厚さの側部リムで作製されており、ポリウレタンマトリックス中に５０％の質量で分散させた三二酸化ビスマスＢｉ２Ｏ３を含んで０．５０ｍｍの鉛厚さを得ている。このめがねの重量は、９２ｇである。
【０１００】
したがって、人間工学的特徴を失わないように、本発明は、このめがねを図９Ａおよび図９Ｂに示すような重量吸収デバイス１４０と一緒に着用することを提案している。図９Ａおよび図９Ｂは、本発明の放射線保護めがね１０／重量吸収デバイス１４０組立体の一例を着用している人の頭部８を正面図（図９Ａ）および側面図（図９Ｂ）それぞれに概略的に表している。
【０１０１】
これらの図に見ることができるように、１５０で参照されるこの組立体では、図５Ａに示すものと実質的に同じタイプのものであるめがねのフレーム２０には磁石１６０が嵌められており、磁石は、ノーズブリッジ１００の上縁に組み付けられているが、このノーズブリッジに一体化することもできる。
【０１０２】
重量吸収デバイス１４０はそれ自体、キャップの形態である。
【０１０３】
このキャップのひさし１８０の下部１７０には、舌状部分２００を保持するための膜１９０が嵌められており、この舌状部分の下端は、めがねのフレーム２０が含むものと同様のサイズであるが、反対の極性を有する磁石２１０を備え、この舌状部分の上端は、たとえばクリッピング、再位置決め可能な接着剤、またはベルクロ（登録商標）タイプのフックおよびループストリップによってこの部材に取り外し可能に締結される。後者の場合、舌状部分自体がフックおよびループストリップであることができる。
【０１０４】
保持部材１９０と一体的である円筒状部片２２０により、この部片と磁石２１０との間に配置される舌状部分の全体をめがねのノーズブリッジ１００のすぐ上に保持することが可能になる。
【０１０５】
舌状部分２００の上端を保持部材１９０に取り外し可能に締め付けることにより、部片２２０と磁石２１０との間に含まれる舌状部分２００の部分の長さを、ユーザによるキャップの着用状態に応じて、ひさし１８０とユーザの鼻根との間に含まれるこのユーザの額の高さに合わせて調整することが可能になる。
【０１０６】
この調整がなされると、めがねのフレーム２０は、磁石１６０と２１０との間に確立された磁気効果によってキャップに自動的に固定され、フレーム２０によってユーザの鼻根上に及ぼされる重量の部分は、このキャップによって自動的に吸収される。
【符号の説明】
【０１０７】
１  めがね
２  フレーム
３  前部、フェース
４  光学ガラス
５  側部リム
６  アーム
７  鉛板
８  人の頭部
９  人の水晶体
Ｓ１  非放射線保護の角度セクター
ｆ１  レンズガラスに衝突する直接放射線
ｆ２  フレームのフェースに衝突する直接放射線
ｆ３  散乱した放射線
ｆ４  側部リムに衝突する直接放射線
ｆ５  散乱した放射線
１０  めがね
２０  フレーム
３０  前部、フェース
４０  光学ガラス
５０  側部リム
６０  アーム
７０  眼窩上保護要素
８０  眼窩下保護要素
９０  サドルブリッジ
１００  ノーズブリッジ
１１０  保持ヘッドバンド
１２０  ループ
１３０  保持バンドを開閉するための要素
１４０  重量吸収デバイス
１５０  組立体
１６０  磁石
１７０  キャップのひさしの下部
１８０  キャップのひさし
１９０  膜
２００  舌状部分
２１０  磁石
２２０  円筒状部片
【図１Ａ】
2021524020.tif 000003
【図１Ｂ】
2021524020.tif 000004
【図２Ａ】
2021524020.tif 000005
【図２Ｂ】
2021524020.tif 000006
【図３】
2021524020.tif 000007
【図４Ａ】
2021524020.tif 000008
【図４Ｂ】
2021524020.tif 000009
【図５Ａ】
2021524020.tif 000010
【図５Ｂ】
2021524020.tif 000011
【図５Ｃ】
2021524020.tif 000012
【図５Ｄ】
2021524020.tif 000013
【図６Ａ】
2021524020.tif 000014
【図６Ｂ】
2021524020.tif 000015
【図７】
2021524020.tif 000016
【図８Ａ】
2021524020.tif 000017
【図８Ｂ】
2021524020.tif 000018
【図９Ａ】
2021524020.tif 000019
【図９Ｂ】
2021524020.tif 000020
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
電離放射線に対する保護めがね用のフレーム（２０）であって、２つの側部保護要素（５０）によって横方向に延ばされた前部（３０）と、着用状態においてユーザの顔上に前記フレームを保持するためのデバイス（６０、１１０）とを備え、前記側部保護要素が、前記前部との一体品とし、前記前部および前記側部保護要素は、放射線減衰負荷が内部に分散されたポリマーマトリックスを含む放射線減衰材料から作製されることを特徴とする、保護めがね用のフレーム（２０）。
【請求項２】
前記放射線減衰負荷が、鉛、希土類、ビスマス、アンチモン、すず、タングステン、バリウム、タンタルから選択された少なくとも１つの金属、またはその合金および酸化物から選択された少なくとも１つの化合物の粒子を含む、請求項１に記載のめがね用のフレーム。
【請求項３】
前記放射線減衰負荷が、鉛、酸化鉛、エルビウム、酸化エルビウム、プラセオジム、酸化プラセオジム、酸化エルビウムおよび酸化プラセオジムの混合物、酸化エルビウム、酸化プラセオジム、および酸化ビスマスの混合物、または酸化ビスマス、酸化タングステン、および酸化ランタンの混合物の粒子を含む、請求項２に記載のめがね用のフレーム。
【請求項４】
前記放射線減衰負荷が、ビスマスのまたは酸化ビスマスの粒子を含む、請求項１または２に記載のめがね用のフレーム。
【請求項５】
前記マトリックスの前記ポリマーが、セルロースアセテート、セルロースアセトプロピオネート、ポリアミドおよびコポリアミド、エポキシド樹脂、ならびにポリウレタンから選択される、請求項１から４のいずれか一項に記載のめがね用のフレーム。
【請求項６】
前記放射線減衰材料が、２０％から９５％の質量の放射線減衰負荷を含む、請求項１から５のいずれか一項に記載のめがね用のフレーム。
【請求項７】
前記前部（３０）が、１つまたは２つの光学ガラス（４０）を埋め込むように構成される、請求項１から６のいずれか一項に記載のめがね用のフレーム。
【請求項８】
前記前部（３０）および前記側部保護要素（５０）との一体品とする２つの眼窩上保護要素（７０）をさらに備える、請求項１から７のいずれか一項に記載のめがね用のフレーム。
【請求項９】
前記前部（３０）および前記側部保護要素（５０）との一体品とする２つの眼窩下保護要素（８０）をさらに備える、請求項１から８のいずれか一項に記載のめがね用のフレーム。
【請求項１０】
前記フレーム保持デバイスが、前記側部保護要素（５０）にヒンジ留めされた２つのアーム（６０）、または前記側部保護要素（５０）に連結されたヘッドバンド（１１０）を備える、請求項１から９のいずれか一項に記載のめがね用のフレーム。
【請求項１１】
前記前部（３０）との一体品とするか、または前記前部（３０）に取り付けられたサドルブリッジ（９０）をさらに備える、請求項１から１０のいずれか一項に記載のめがね用のフレーム。
【請求項１２】
請求項１から１１のいずれか一項に記載のフレーム（２０）内に埋め込まれた１つまたは２つの放射線減衰光学ガラス（４０）を備える、電離放射線に対する保護めがね（１０）。
【請求項１３】
前記放射線減衰光学ガラス（４０）が、鉛ガラスである、請求項１２に記載のめがね。
【請求項１４】
前記フレーム（２０）が、めがね用の重量吸収デバイス（１４０）が備える第２の取り付け要素（２１０）に取り付けられるように構成された第１の取り付け要素（１６０）を備え、このとき前記めがねおよび前記重量吸収デバイスは、ユーザによって、前記めがねを前記ユーザの顔に着用し、前記重量吸収デバイスを前記ユーザの頭に着用して着用されている、請求項１２または１３に記載のめがね。
【請求項１５】
前記第１の取り付け要素（１６０）が、前記フレーム（２０）に組み付けられるか、または前記フレーム（２０）内に一体化された磁石である、請求項１４に記載のめがね。
【請求項１６】
請求項１２から１５のいずれか一項に記載の放射線保護めがね（１０）と、重量吸収デバイス（１４０）とを備える組立体（１５０）であって、前記めがねが第１の取り付け要素（１６０）を備え、前記重量吸収デバイスが第２の取り付け要素（２１０）を備え、前記第１および第２の取り付け要素は、前記めがねおよび前記重量吸収デバイスが、ユーザによって、前記めがねを前記ユーザの顔に着用し、前記重量吸収デバイスを前記ユーザの頭に着用して着用されるとき、互いに取り付けられるように構成される、組立体（１５０）。
【請求項１７】
前記第１（１６０）および前記第２（２１０）の取り付け要素が、異極性を有する磁石である、請求項１６に記載の組立体。
【請求項１８】
前記重量吸収デバイス（１４０）が、着用状態において、前記ユーザの頭の上部を覆うか、または前記ユーザの頭の前部のみを取り囲むように構成される、請求項１６または１７に記載の組立体。
【国際調査報告】
2021524020.tif 000021
2021524020.tif 000022
2021524020.tif 000023
2021524020.tif 000024